(57)【要約】【課題】  モータからポンプの全体を離脱させることができ、しかも、モータに対するポンプの着脱のための操作が簡単であるために、ポンプ内の消毒や滅菌を効果的にしかも容易且つ頻繁に行うことができる、洗浄装置を提供する。【解決手段】  モータ２１にポンプ２２を取り付けるための磁石５２と金属板６８とがモータ２１とポンプ２２とに夫々設けられている。ポンプ２２はモータ２１との磁気的結合によってモータ２１に駆動されるので、ポンプ２２の駆動のためにモータ２１とポンプ２２とが機械的に結合されていない。このため、磁石５２と金属板６８とによる磁気的結合力よりも大きな力をモータ２１とポンプ２２との間に印加することによって、モータ２１からポンプ２２の全体をワンタッチで離脱させることができ、磁石５２と金属板６８とによる磁気的結合力を利用することによって、モータ２１にポンプ２２をワンタッチで装着することができる。【選択図】  図１
2006061877.tif 000002
【特許請求の範囲】
【請求項１】
洗浄液を送出するポンプと、このポンプとの磁気的結合によってこのポンプを駆動するモータとを具備する洗浄装置において、
磁気的結合によって前記モータに前記ポンプを取り付けるための磁気的結合部材が前記モータと前記ポンプとに設けられていることを特徴とする洗浄装置。
【請求項２】
前記モータに対する前記ポンプの筐体の回転を防止するための回転防止部材が前記モータと前記ポンプとに設けられていることを特徴とする請求項１に記載の洗浄装置。
【発明の詳細な説明】
【技術分野】
【０００１】
本発明は、産婦人科等における診療器具の一種であって、診療に際して、洗浄液を嘴管から噴出させて人体の一部を洗浄するための洗浄装置に関するものである。
【背景技術】
【０００２】
洗浄装置では、洗浄液の貯留槽が備えられており、貯留槽内の洗浄液をポンプが嘴管へ送出し、この洗浄液を嘴管が噴出させる。ところで、ポンプを駆動するモータの各部材に洗浄液が接触すると、潤滑油等の汚染物が洗浄液中に混入し、この汚染物を含んでいる洗浄液が被洗浄者に対して使用されて、被洗浄者が汚染される可能性がある。そこで、モータの筐体にポンプの筐体が固定されてはいるが、モータの各部材に洗浄液が接触しない様にポンプの筐体をモータの筐体とは別体にし、互いに離隔しているポンプとモータとを磁気的に結合してポンプを駆動する、第一の従来の洗浄装置が考えられている。
【０００３】
しかし、ポンプの形状は単純ではなく、ポンプの筐体内には一般に凹部が存在しているので、この凹部内に洗浄液が滞留し、洗浄の停止後にこの凹部内に洗浄液が残留している。また、たとえポンプの筐体内に凹部が存在していなくても、送出のためにポンプの筐体内を通過した洗浄液によって、洗浄の停止後にポンプの筐体の内面に洗浄液の液滴が付着している。これらの残留している洗浄液や付着している洗浄液の液滴には細菌等が発生し易く、モータの各部材との接触による汚染物を含んでいなくても上述の細菌等を含んでいる洗浄液が次回の洗浄時に被洗浄者に対して使用されて、これらの細菌等が被洗浄者に感染する可能性がある。
【０００４】
被洗浄者に対するこれらの細菌等の感染を防止するために、消毒液の注入によるポンプ内の消毒や、エチレンオキシドガスやオートクレーブによるポンプ内の滅菌等が行われてはいる。しかし、ポンプ内に洗浄液が残留していたり洗浄液の液滴が付着していたりすると、これらの消毒や滅菌が効果的には行われず、被洗浄者に対する細菌等の感染を効果的に防止することは困難である。ポンプ内の消毒や滅菌を効果的に行うためには、ポンプ内に残留している洗浄液や付着している洗浄液の液滴をまず除去してから消毒や滅菌を行う必要がある。ポンプ内に残留している洗浄液や付着している洗浄液の液滴を除去するためには、ポンプの天地を逆転させたりポンプの全体を振り動かしたりする必要がある。
【０００５】
ところが、上述の第一の従来の洗浄装置では、ポンプの筐体がモータの筐体に固定されており、モータの筐体は洗浄装置の筐体に固定されている。そして、一般に、洗浄装置の貯留槽には洗浄液が貯留されており、洗浄装置が小型・軽量であるとも言い難い。このため、上述の第一の従来の洗浄装置では、ポンプの天地を逆転させたりポンプの全体を振り動かしたりすることが通常はできず、その結果、ポンプ内に残留している洗浄液や付着している洗浄液の液滴を効果的には除去することができなくて、ポンプ内の消毒や滅菌を効果的には行うことができない。
【０００６】
そこで、リングナットの回転によってモータからポンプの前面部を離脱させることができ、また、離脱時とは反対方向へのリングナットの回転によってモータにポンプの前面部を装着することができる、第二の従来の洗浄装置が考えられている（例えば、非特許文献１）。
【非特許文献１】タカラベルモント株式会社「診療ユニット」取扱説明書
【発明の開示】
【発明が解決しようとする課題】
【０００７】
しかし、非特許文献１に記載されている第二の従来の洗浄装置では、ポンプのうちでモータから離脱させることができるのは前面部だけであって背面部は依然としてモータから離脱させることができないので、この背面部の消毒や滅菌を効果的に行うことができるとは言い難い。しかも、モータに対するポンプの着脱のためにリングナットを回転させる必要があるので、モータに対するポンプの着脱のための操作が煩雑であり、その結果、ポンプ内の消毒や滅菌を容易且つ頻繁に行うことができるとも言い難い。従って、本発明は、モータからポンプの全体を離脱させることができるために、ポンプ内の消毒や滅菌を効果的に行うことができ、しかも、モータに対するポンプの着脱のための操作が簡単であるために、ポンプ内の消毒や滅菌を容易且つ頻繁に行うことができる、洗浄装置を提供することを目的としている。
【課題を解決するための手段】
【０００８】
請求項１に係る洗浄装置では、磁気的結合によってモータにポンプを取り付けるための磁気的結合部材がモータとポンプとに設けられている。しかも、ポンプはモータとの磁気的結合によってこのモータに駆動されるので、ポンプの駆動のためにモータとポンプとが機械的に結合されていない。このため、磁気的結合部材による磁気的結合力よりも大きな力をモータとポンプとの間に印加することによって、モータからポンプの全体をワンタッチで離脱させることができ、また、磁気的結合部材による磁気的結合力を利用することによって、モータにポンプをワンタッチで装着することができる。
【０００９】
請求項２に係る洗浄装置では、モータに対するポンプの筐体の回転を防止するための回転防止部材がモータとポンプとに設けられている。このため、磁気的結合部材による磁気的結合力がポンプの回転方向と垂直な成分しか有していないかまたはこの垂直な成分以外の成分が少ない状態でポンプの回転力がポンプの筐体に作用しても、モータに対するポンプの筐体の回転が防止される。
【発明の効果】
【００１０】
請求項１に係る洗浄装置では、磁気的結合部材による磁気的結合力よりも大きな力をモータとポンプとの間に印加することによって、モータからポンプの全体をワンタッチで離脱させることができ、また、磁気的結合部材による磁気的結合力を利用することによって、モータにポンプをワンタッチで装着することができる。従って、モータからポンプの全体を離脱させることができるために、ポンプ内の消毒や滅菌を効果的に行うことができ、しかも、モータに対するポンプの着脱のための操作が簡単であるために、ポンプ内の消毒や滅菌を容易且つ頻繁に行うことができる。
【００１１】
請求項２に係る洗浄装置では、磁気的結合部材による磁気的結合力がポンプの回転方向と垂直な成分しか有していないかまたはこの垂直な成分以外の成分が少ない状態でポンプの回転力がポンプの筐体に作用しても、モータに対するポンプの筐体の回転が防止される。従って、モータに対するポンプの着脱のための操作が簡単であるにも拘らず、モータに対するポンプの装着状態を正常な状態に維持して、正常な装着状態での洗浄を継続することができる。
【発明を実施するための最良の形態】
【００１２】
以下、本発明を実施するための最良の一形態を、図１〜５を参照しながら説明する。図５が、本形態の洗浄装置１１の全体を概略的に示している。この図５に示されている様に、洗浄装置１１の筐体１２内に貯留槽１３が取り付けられており、噴出による洗浄に使用される洗浄液１４が貯留槽１３内に貯留される。貯留槽１３の近傍には、貯留槽１３内の洗浄液１４を体温程度に加熱するための加熱器１５が設けられている。洗浄液１４を収容するタンク１６が貯留槽１３内に装着されており、タンク１６内へは受入口１７から洗浄液１４が供給される。
【００１３】
洗浄液１４の噴出による洗浄を行うことによって貯留槽１３内の洗浄液１４が所定量よりも減少すると、つまり貯留槽１３内における洗浄液１４の液面が所定液面よりも低下すると、所定量まで、つまり貯留槽１３の所定液面まで、タンク１６内から供給口１８を通して貯留槽１３内へ洗浄液１４が自動的に供給される。このため、筐体１２内には実質的に貯留槽１３内の洗浄液１４とタンク１６内の洗浄液１４とが貯留されていて、洗浄液１４を追加することなく、洗浄液１４の噴出による洗浄を長時間に亙って行うことができる。そして、それにも拘らず、加熱器１５は貯留槽１３内に貯留されている所定量の洗浄液１４のみを加熱すればよくてタンク１６内の洗浄液１４を加熱する必要がないので、熱出力の少ない加熱器１５を使用することができて、加熱器１５の製造コスト及び運転コストが低い。
【００１４】
洗浄装置１１にはモータ２１とこのモータ２１によって駆動されるポンプ２２とが取り付けられており、貯留槽１３の流出口２３とポンプ２２の吸入口２４とが導管２５によって互いに接続されている。ポンプ２２の送出口２６に導管２７の一端部が接続されており、この導管２７の送出口２６とは反対側の他端部にパイプ２８が接続されている。洗浄装置１１には導管３１が備えられており、分割壁３２によって導管３１内がその長手方向へ互いに並んで延びている第一及び第二の流路３３、３４に分割されている。洗浄装置１１には嘴管３５も備えられており、導管３１の一端部が嘴管３５に接続されている。
【００１５】
嘴管３５に接続されている導管３１の一端部には分割壁３２が存在しておらず、このため、第一及び第二の流路３３、３４を互いに連通させている連通部３６が導管３１の一端部に形成されている。流路３４の嘴管３５とは反対側の他端部は貯留槽１３の還流口３７に接続されている。従って、貯留槽１３から導管２５、ポンプ２２、導管２７、パイプ２８、導管３１の流路３３、連通部３６、及び導管３１の流路３４を経て再び貯留槽１３に戻る循環路が形成されている。
【００１６】
図１〜４は、洗浄装置１１のうちのモータ２１及びポンプ２２を詳細に示している。モータ２１の筐体３８内にモータ２１の本体４１が取り付けられており、本体４１内に固定子４２が固定されている。本体４１には固定子４２と同軸状に円柱状の軸４３が固定されており、ラジアル玉軸受４４の内レース４５が軸４３に固定されている。ラジアル玉軸受４４の外レース４６に回転子４７が固定されており、回転子４７と同軸状に円筒状の磁石４８が回転子４７に固定されている。筐体３８のうちのポンプ２２側の面であって本体４１の周囲には４個の突出片５１が設けられており、これらの突出片５１の各々に磁石５２が取り付けられている。筐体３８にはモータ２１を洗浄装置１１の筐体１２に取り付けるための突出片５３が設けられており、電源コード５４がモータ２１に接続されている。
【００１７】
ポンプ２２の筐体５５は前面部５６と背面部５７とから成っており、既述の吸入口２４及び送出口２６は前面部５６に一体に設けられている。前面部５６には軸５８との嵌合部６１が一体に設けられており、背面部５７には軸４３との嵌合用の凹部６２及び軸５８との嵌合用の凹部６３が設けられている。凹部６３に軸５８の一端部が嵌合され、軸５８に羽根車６４とスラスト平軸受６５とが順次に挿通され、前面部５６と背面部５７との間に液密用のＯリング６６が介装され、嵌合部６１に軸５８の他端部が嵌合されている状態で、前面部５６と背面部５７とが４本のネジ６７で緊締されて金属板６８に取り付けられている。
【００１８】
羽根車６４中には磁石７１が埋設されており、ネジ６７の先端部は金属板６８から突出しておらず金属板６８と面一になっている。金属板６８は強磁性体であり、軸４３の先端部が凹部６２に嵌合されている状態で、磁石５２と金属板６８との磁気的結合によってポンプ２２がモータ２１の筐体３８に取り付けられている。このとき、モータ２１の筐体３８のうちで一対の突出片５１間の部分と嵌合してポンプ２２の筐体５５の回転を防止する回転止め７２が金属板６８に一体に設けられている。
【００１９】
以上の様な構成を有する本形態の洗浄装置１１では、モータ２１が通電されると、回転子４７が軸４３の回りに回転し、回転子４７の回転と共に磁石４８も回転する。モータ２１の磁石４８が回転すると、この磁石４８とポンプ２２の磁石７１との磁気的結合によって、磁石７１が埋設されている羽根車６４も軸５８の回りに回転して、ポンプ２２は洗浄液１４を吸入口２４から吸入して送出口２６から送出する。なお、上述の様にモータ２１の筐体３８のうちで一対の突出片５１間の部分とポンプ２２の金属板６８の回転止め７２とが嵌合しているので、羽根車６４の回転力がポンプ２２の筐体５５に作用しても、ポンプ２２の筐体５５はモータ２１の筐体３８に対して回転しない。
【００２０】
そして、モータ２１への通電と共に加熱器１５も通電されると、この加熱器１５は貯留槽１３内の洗浄液１４を体温程度に加熱する。このため、体温程度に加熱された洗浄液１４が導管２５を通ってポンプ２２に吸引され、ポンプ２２から送出された洗浄液１４は導管２７を通って導管３１の流路３３内へ送り込まれる。このとき、嘴管３５が洗浄液１４を噴出させる状態にされていなければ、流路３３内へ送り込まれた洗浄液１４の全量が、連通部３６及び流路３４を通って貯留槽１３へ還流する。従って、加熱された洗浄液１４が常に循環している。また、嘴管３５が洗浄液１４を噴出させる状態にされていれば、流路３３内へ送り込まれた洗浄液１４のうちの所定の量が嘴管３５の噴出口から噴出され、噴出口から噴出されなかった洗浄液１４が連通部３６及び流路３４を通って貯留槽１３へ還流する。
【００２１】
ところで、図１、２に示されている様に、ポンプ２２の筐体５５には羽根車６４を収容している凹部７３が存在している。このため、この凹部７３内に洗浄液１４が滞留し、洗浄の停止後にこの凹部７３内に洗浄液１４が残留している。しかし、洗浄の停止後に、モータ２１の磁石５２とポンプ２２の金属板６８とによる磁気的結合力よりも大きな力をモータ２１とポンプ２２との間に印加することによって、図２の状態から図１、３、４の状態へ、モータ２１からポンプ２２をワンタッチで離脱させることができる。
【００２２】
モータ２１からポンプ２２を離脱させた状態では、ポンプ２２の天地を逆転させたりポンプ２２の全体を振り動かしたりすることを容易に行うことができるので、凹部７３内に残留している洗浄液１４や筐体５５内に付着している洗浄液１４の液滴を効果的に除去することができて、ポンプ２２内の消毒や滅菌を効果的に行うことができる。また、ポンプ２２内の消毒や滅菌を行った後は、磁石５２と金属板６８とによる磁気的結合力を利用することによって、図１、３、４の状態から図２の状態へ、モータ２１にポンプ２２をワンタッチで装着することができる。
【産業上の利用可能性】
【００２３】
本発明は、嘴管から洗浄液を噴出させて人体の一部を洗浄するための洗浄装置であって、洗浄液を送出するポンプ内の消毒や滅菌を容易に行うことができる洗浄装置の提供に利用することができる。
【図面の簡単な説明】
【００２４】
【図１】本発明を実施するための一形態においてモータからポンプが離脱されている状態におけるこれらの拡大側断面図である。
【図２】本発明を実施するための一形態においてモータにポンプが取り付けられている状態におけるこれらの拡大側断面図である。
【図３】本発明を実施するための一形態においてモータからポンプが離脱されている状態におけるこれらの斜視図である。
【図４】本発明を実施するための一形態においてモータからポンプが離脱されている状態におけるこれらの断面斜視図である。
【図５】本発明を実施するための一形態の全体の概略図である。
【符号の説明】
【００２５】
１１    洗浄装置
１４    洗浄液
２１    モータ
２２    ポンプ
５１    突出片（回転防止部材）
５２    磁石（磁気的結合部材）
６８    金属板（磁気的結合部材）
７２    回転止め（回転防止部材）
【図１】
2006061877.tif 000003
【図２】
2006061877.tif 000004
【図３】
2006061877.tif 000005
【図４】
2006061877.tif 000006
【図５】
2006061877.tif 000007